(57)【要約】【課題】  第１のデジタル放送受信装置で受信中の番組を、簡単かつ素早く、第２のデジタル放送受信装置に引継ぐことができるデジタル放送受信装置の連携システムを提供する。【解決手段】  第１のデジタル放送受信装置であるモバイル端末１は、使用者の指示に従って、自装置が受信中の番組を特定する番組指定情報を、デジタル放送受信装置の連携システム内に送出する。この番組指定情報に基づいて、第２のデジタル放送受信装置である据置ＴＶ２は、第１のデジタル放送受信装置であるモバイル端末１が受信中の番組と同一の番組を受信する。【選択図】        図１
2006041821.tif 000002
【特許請求の範囲】
【請求項１】
デジタル放送を受信可能な第１のデジタル放送受信装置および第２のデジタル放送受信装置を含み、
前記第１のデジタル放送受信装置から送出された、当該第１のデジタル放送受信装置が現在受信中の番組を特定する番組指定情報を、前記第２のデジタル放送受信装置が受信し、その番組指定情報に基づいて前記第１のデジタル放送受信装置と同一の番組を前記第２のデジタル放送受信装置において受信するデジタル放送受信装置の連携システムであって、
前記第１のデジタル放送受信装置は、当該第１のデジタル放送受信装置に対する使用者の指示に従って、前記番組指定情報を出力することを特徴とするデジタル放送受信装置の連携システム。
【請求項２】
前記番組指定情報は、ＭＰＥＧ２トランスポートストリームにおける映像や音声等のＰＩＤと言ったデジタル放送特有の情報を含むことを特徴とする請求項１に記載のデジタル放送受信装置の連携システム。
【請求項３】
前記第１のデジタル放送受信装置は、直接信号送信部を備え、前記番組指定情報を送出する直前に、前記第２のデジタル放送受信装置に対して直接信号を送信し、前記第２のデジタル放送受信装置は、直接信号受信部を備え、前記第１のデジタル放送受信装置から前記番組指定情報を受信する直前に、前記第１のデジタル放送受信装置の前記直接信号送信部から送信された前記直接信号を、前記直接信号受信部において受信したか否かによって、適切な動作を行うことを特徴とする請求項１または２に記載のデジタル放送受信装置の連携システム。
【請求項４】
前記第２のデジタル放送受信装置は、チューナ部、ＴＳ分離部、デコード部、スピーカーおよび表示部を備え、前記第１のデジタル放送受信装置から前記番組指定情報を受信する直前に、前記直接信号を受信した場合、前記チューナ部、ＴＳ分離部、デコード部、スピーカーおよび表示部等番組の視聴に必要となる部分に電源供給を開始するとともに、前記番組指定情報に基づいて前記チューナ部およびＴＳ分離部等の設定を行うことによって、前記第１のデジタル放送受信装置と同一の番組を受信し、即座に視聴可能とすることを特徴とする請求項３に記載のデジタル放送受信装置の連携システム。
【請求項５】
前記第２のデジタル放送受信装置は、チューナ部、ＴＳ分離部および記録部を備え、前記第１のデジタル放送受信装置から前記番組指定情報を受信する直前に、前記直接信号を受信しなかった場合、前記チューナ部、ＴＳ分離部および記録部等番組の記録に必要となる部分に電源供給を開始するとともに、前記番組指定情報に基づいて前記チューナ部およびＴＳ分離部等の設定を行うことによって、前記第１のデジタル放送受信装置と同一の番組を受信し、即座に記録可能とすることを特徴とする請求項３または４に記載のデジタル放送受信装置の連携システム。
【請求項６】
前記第１のデジタル放送受信装置は、位置測定部を備え、前記番組指定情報の他に当該第１のデジタル放送受信装置の位置情報を、前記第２のデジタル放送受信装置に送信し、前記第２のデジタル放送受信装置は、前記第１のデジタル放送受信装置の位置に応じて、適切な動作を行うことを特徴とする請求項１から５の何れか１項に記載のデジタル放送受信装置の連携システム。
【請求項７】
前記第２のデジタル放送受信装置は、チューナ部、ＴＳ分離部、デコード部、スピーカーおよび表示部を備え、前記第１のデジタル放送受信装置から送信された前記位置情報を受信し、前記第１のデジタル放送受信装置がある範囲内にあると判断した場合、前記チューナ部、ＴＳ分離部、デコード部、スピーカーおよび表示部等番組の視聴に必要となる部分に電源供給を開始するとともに、前記番組指定情報に基づいて前記チューナ部およびＴＳ分離部等の設定を行うことによって、前記第１のデジタル放送受信装置と同一の番組を受信し、即座に視聴可能とすることを特徴とする請求項６に記載のデジタル放送受信装置の連携システム。
【請求項８】
前記第２のデジタル放送受信装置は、チューナ部、ＴＳ分離部および記録部を備え、前記第１のデジタル放送受信装置から送信された前記位置情報を受信し、前記第１のデジタル放送受信装置がある範囲外にあると判断した場合、前記チューナ部、ＴＳ分離部および記録部等番組の記録に必要となる部分に電源供給を開始するとともに、前記番組指定情報に基づいて前記チューナ部およびＴＳ分離部等の設定を行うことによって、前記第１のデジタル放送受信装置と同一の番組を受信し、即座に記録可能とすることを特徴とする請求項６または７に記載のデジタル放送受信装置の連携システム。
【請求項９】
前記第１のデジタル放送受信装置は、第１の短距離通信部および第１の長距離通信部を備え、前記第２のデジタル放送受信装置に対する前記番組指定情報の送出の際に、まず前記第１の短距離通信部において通信を試み、失敗した場合は、つぎに前記第１の長距離通信部において通信を行い、前記第２のデジタル放送受信装置は、第２の短距離通信部および第２の長距離通信部を備え、前記番組指定情報を受信したのが、前記第２の短距離通信部であるか前記第２の長距離通信部であるかによって、適切な動作を行うことを特徴とする請求項１から５の何れか１項に記載のデジタル放送受信装置の連携システム。
【請求項１０】
前記第２のデジタル放送受信装置は、チューナ部、ＴＳ分離部、デコード部、スピーカーおよび表示部を備え、前記第１のデジタル放送受信装置から送信された前記番組指定情報を前記第２の短距離通信部によって受信した場合、前記チューナ部、ＴＳ分離部、デコード部、スピーカーおよび表示部等番組の視聴に必要となる部分に電源供給を開始するとともに、前記番組指定情報に基づいて前記チューナ部およびＴＳ分離部等の設定を行うことによって、前記第１のデジタル放送受信装置と同一の番組を受信し、即座に視聴可能とすることを特徴とする請求項９に記載のデジタル放送受信装置の連携システム。
【請求項１１】
前記第２のデジタル放送受信装置は、チューナ部、ＴＳ分離部および記録部を備え、前記第１のデジタル放送受信装置から送信された前記番組指定情報を前記第２の長距離通信部によって受信した場合、前記チューナ部、ＴＳ分離部および記録部等番組の記録に必要となる部分に電源供給を開始するとともに、前記番組指定情報に基づいて前記チューナ部およびＴＳ分離部等の設定を行うことによって、前記第１のデジタル放送受信装置と同一の番組を受信し、即座に記録可能とすることを特徴とする請求項９または１０に記載のデジタル放送受信装置の連携システム。
【請求項１２】
前記第２のデジタル放送受信装置が、前記第１のデジタル放送受信装置から前記番組指定情報を受信する直前に、前記直接信号を受信しなかった場合において、記録部へ番組を記録し始めている状態で、当該第２のデジタル放送受信装置の電源を投入した場合、自動的に番組を記録し始めた部分から追いかけ再生を行うことを特徴とする請求項５に記載のデジタル放送受信装置の連携システム。
【請求項１３】
前記第２のデジタル放送受信装置が、前記第１のデジタル放送受信装置から送信された前記位置情報を受信し、前記第１のデジタル放送受信装置がある範囲外にあると判断した場合において、記録部へ番組を記録し始めている状態で、当該第２のデジタル放送受信装置の電源を投入した場合、自動的に番組を記録し始めた部分から追いかけ再生を行うことを特徴とする請求項８に記載のデジタル放送受信装置の連携システム。
【請求項１４】
前記第２のデジタル放送受信装置が、前記第１のデジタル放送受信装置から送信された前記番組指定情報を前記第２の長距離通信部によって受信した場合において、記録部へ番組を記録し始めている状態で、当該第２のデジタル放送受信装置の電源を投入した場合、自動的に番組を記録し始めた部分から追いかけ再生を行うことを特徴とする請求項１１に記載のデジタル放送受信装置の連携システム。
【請求項１５】
請求項１から１４の何れか１項に記載のデジタル放送受信装置の連携システムに含まれる前記第１のデジタル放送受信装置であることを特徴とするデジタル放送受信装置。
【請求項１６】
請求項１から１４の何れか１項に記載のデジタル放送受信装置の連携システムに含まれる前記第２のデジタル放送受信装置であることを特徴とするデジタル放送受信装置。
【請求項１７】
請求項１から１４の何れか１項に記載のデジタル放送受信装置の連携システムを動作させるデジタル放送受信装置の連携プログラムであって、コンピュータに前記第１のデジタル放送受信装置としての機能を実現させるデジタル放送受信装置の連携プログラム。
【請求項１８】
請求項１から１４の何れか１項に記載のデジタル放送受信装置の連携システムを動作させるデジタル放送受信装置の連携プログラムであって、コンピュータに前記第２のデジタル放送受信装置としての機能を実現させるデジタル放送受信装置の連携プログラム。
【発明の詳細な説明】
【技術分野】
【０００１】
本発明は、デジタル放送を受信するデジタル放送受信装置、およびデジタル放送受信装置の連携システム、さらにデジタル放送受信装置の連携プログラムに関するものである。
【背景技術】
【０００２】
今日、ポータブルＴＶや車載ＴＶといったアナログ放送を受信するためのモバイル機器が普及し始めている。
【０００３】
そして、地上波デジタル放送が開始されると、映像や音声のデジタルデータ化に伴って、アナログ放送におけるモバイル環境よりも圧倒的に鮮明な映像や音声を受信できるようになり、モバイル機器によるデジタル放送の受信はより一般的なものになると考えられる。
【０００４】
例えば、このようなモバイル環境で使用される受信端末としては、携帯電話や車載ＴＶ、ＰＤＡ、モバイルＰＣ、ポータブルＴＶなどが考えられるが、腕時計や衣服といったこれまで考えられなかった身の回りのあらゆる物が受信端末として利用される可能性がある。
【特許文献１】特開２００３−１８５７６号公報
【発明の開示】
【発明が解決しようとする課題】
【０００５】
このように、モバイル端末によるデジタル放送の受信が一般的になると、外出先からの帰宅途中にモバイル端末で番組を視聴しながら帰宅するといった機会が増えると予想される。ここで、単にモバイル端末で番組を視聴しながら帰宅すると言っても、様々なパターンが考えられる。
【０００６】
まず、第１のパターンとしては、手持ちのモバイル端末で番組を視聴しながら帰宅し、自宅の据置ＴＶの近くまで視聴し続けて来るような場合がある。このような場合、デジタル放送によって鮮明に受信できるようになったとはいえ、モバイル端末では表示画面の大きさに制限があるため、近くにある大きい画面の据置ＴＶで視聴したいと感じることがある。しかし、そのためには、据置ＴＶの電源をオンにし、モバイル端末で視聴していたチャンネルを合わせる必要があり、この間番組を見逃してしまう可能性がある。さらに、デジタル放送では、多チャンネル化が計画されており、チャンネルを合わせると言う作業が今まで以上に時間のかかる作業となり、さらに番組を見逃してしまう可能性が高くなる。
【０００７】
このように、従来のデジタル放送受信装置では、視聴している番組をスムーズに引継ぐことができなかった。
【０００８】
つぎに、第２のパターンとしては、電車やバスなどで帰宅し、駅から自宅まで移動する間、交通安全上の理由等でモバイル端末の使用を一時中断する必要があり、番組を見ることができない期間が存在する場合がある。
【０００９】
このような場合、たとえ番組を引継げたとしても、駅から自宅までの間、番組を見逃してしまう。そこで、番組を見逃さないためには、少なくともモバイル端末で番組を視聴していない間、その番組を録画する必要があるが、従来のデジタル放送受信装置では、視聴している番組をスムーズに録画し引継ぐことができなかった。
【００１０】
そして、第３のパターンとしては、自家用車の車載ＴＶで番組を視聴しながら帰宅し、自宅の駐車場から屋内まで移動する間、番組を見ることができない期間が存在する場合である。
【００１１】
このような場合、駐車場から屋内までの移動距離は短いことが多く、その程度の期間であれば記録するよりも、むしろ据置ＴＶの前に辿り着いた時点ですでにモバイル端末と同じ番組が視聴できる状態になっているほうが好ましいと感じる場合もある。また、たとえばＣＭ（コマーシャルメッセージ）の開始を見計らって、駐車場から屋内に移動する場合などは、このような動作は非常に便利である。しかしながら従来のデジタル放送受信装置では、モバイル端末の位置を考慮した番組の引継ぎは行うことができなかった。
【００１２】
本発明は、このような問題を解決するために、視聴中の番組を引継ぐことが可能なデジタル放送受信装置およびその連携システム、ならびにこのデジタル放送受信装置の連携システムを実現する連携プログラムを提供することを目的とする。
【課題を解決するための手段】
【００１３】
本発明のデジタル放送受信装置の連携システムは、デジタル放送を受信可能な第１のデジタル放送受信装置および第２のデジタル放送受信装置を含み、前記第１のデジタル放送受信装置から送出された、当該第１のデジタル放送受信装置が現在受信中の番組を特定する番組指定情報を、前記第２のデジタル放送受信装置が受信し、その番組指定情報に基づいて前記第１のデジタル放送受信装置と同一の番組を前記第２のデジタル放送受信装置において受信するデジタル放送受信装置の連携システムであって、前記第１のデジタル放送受信装置は、当該第１のデジタル放送受信装置に対する使用者の指示に従って、前記番組指定情報を出力することを特徴としている。
【００１４】
上記の構成により、第１のデジタル放送受信装置は、使用者の指示に従って、自装置が受信中の番組を特定する番組指定情報を、デジタル放送受信装置の連携システム内に送出する。この番組指定情報に基づいて、第２のデジタル放送受信装置は、第１のデジタル放送受信装置が受信中の番組と同一の番組を受信する。
【００１５】
ここで、番組指定情報としては、番組のチャンネル番号や放送周波数等が考えられる。
【００１６】
以上により、前記デジタル放送受信装置の連携システムによれば、使用者の第１のデジタル放送受信装置への指示により、第１のデジタル放送受信装置で受信中の番組を、簡単かつ素早く、第２のデジタル放送受信装置に引継ぐことができる。
【００１７】
例えば、モバイル端末で番組を視聴しながら帰宅し、据置ＴＶに番組を引継ぐ場合、モバイル端末が第１のデジタル放送受信装置に相当し、据置ＴＶが第２のデジタル放送受信装置に相当する。そして、使用者が番組を視聴している手元のモバイル端末に対して番組の引継ぎを指示することによって、モバイル端末で視聴中の番組が据置ＴＶに引継がれる。
【００１８】
さらに、本発明のデジタル放送受信装置の連携システムは、前記番組指定情報は、ＭＰＥＧ２トランスポートストリームにおける映像や音声等のＰＩＤと言ったデジタル放送特有の情報を含むことを特徴としている。
【００１９】
上記の構成により、さらに、第１のデジタル放送受信装置は、番組指定情報として、ＭＰＥＧ２トランスポートストリームにおける映像や音声等のＰＩＤと言ったデジタル放送特有の情報も送出するため、第２のデジタル放送受信装置は、それらの情報も利用して、第１のデジタル放送受信装置で受信中の番組と同じ番組を受信することができる。
【００２０】
以上により、第２のデジタル放送受信装置は、番組指定情報として番組のチャンネル番号や放送周波数のみを利用する場合、ＭＰＥＧ２トランスポートストリームから番組の映像や音声のデコードに必要なＰＩＤといった情報を取得するまで番組を表示することはできないが、番組指定情報として番組の映像や音声等のＰＩＤと言ったデジタル放送特有の情報も利用できる場合、ＭＰＥＧ２トランスポートストリームから番組の映像や音声のデコードに必要なＰＩＤといった情報を取得する前にデコードを開始することができるため、より早く番組を引継いで視聴を開始することができる。
【００２１】
さらに、本発明のデジタル放送受信装置の連携システムは、前記第１のデジタル放送受信装置は、直接信号送信部を備え、前記番組指定情報を送出する直前に、前記第２のデジタル放送受信装置に対して直接信号を送信し、前記第２のデジタル放送受信装置は、直接信号受信部を備え、前記第１のデジタル放送受信装置から前記番組指定情報を受信する直前に、前記第１のデジタル放送受信装置の直接信号送信部から送信された直接信号を、前記直接信号受信部において受信したか否かによって、適切な動作を行うことを特徴としている。
【００２２】
上記の構成により、第１のデジタル放送受信装置は、番組指定情報を送出する直前に、第２のデジタル放送受信装置に対して直接信号を送信し、第２のデジタル放送受信装置は、第１のデジタル放送受信装置から番組指定情報を受信する直前に、直接信号を受信したか否かによって、適切な動作を行う。
【００２３】
ここで、直接信号は、赤外線のような無線による信号であってもよいし、直接またはケーブル等で接続された媒体を伝わる電気信号のような有線による信号であってもよい。ただし、直接信号は、第１のデジタル放送受信装置から第２のデジタル放送受信装置が目視できるぐらい至近距離でのみ有効な信号でなければならない。さらに、直接信号は、送受信できるものであれば何でもよい。
【００２４】
以上により、第１のデジタル放送受信装置により番組の引継ぎを指示する使用者が、第２のデジタル放送受信装置の至近にいるかどうかによって、より適切な番組の引継ぎ動作を自動的に実行することができる。
【００２５】
さらに、本発明のデジタル放送受信装置の連携システムは、前記第２のデジタル放送受信装置は、チューナ部、ＴＳ分離部、デコード部、スピーカーおよび表示部を備え、前記第１のデジタル放送受信装置から前記番組指定情報を受信する直前に、前記直接信号を受信した場合、前記チューナ部、ＴＳ分離部、デコード部、スピーカーおよび表示部等番組の視聴に必要となる部分に電源供給を開始するとともに、前記番組指定情報に基づいて前記チューナ部およびＴＳ分離部等の設定を行うことによって、前記第１のデジタル放送受信装置と同一の番組を受信し、即座に視聴可能とすることを特徴としている。
【００２６】
上記の構成により、第２のデジタル放送受信装置は、第１のデジタル放送受信装置から番組指定情報を受信する直前に、直接信号を受信した場合、チューナ部、ＴＳ分離部、デコード部、スピーカーおよび表示部等の番組の視聴に必要となる部分に電源供給を開始し、番組指定情報に基づいてチューナ部およびＴＳ分離部等の設定を行い、第１のデジタル放送受信装置と同一の番組を即座に表示する。
【００２７】
以上により、第１のデジタル放送受信装置により番組の引継ぎを指示した使用者は、第２のデジタル放送受信装置の至近にいた場合、第１のデジタル放送受信装置で視聴していた番組を、即座に第２のデジタル放送受信装置で視聴し始めることができる。
【００２８】
例えば、モバイル端末で番組を視聴しながら帰宅し、いち早く大きい画面の据置ＴＶで番組を視聴したいような場合、据置ＴＶは使用者が近くにいることを自動的に判断し、モバイル端末で視聴していた番組を即座に引継ぎ、使用者はいち早く大きい画面の据置ＴＶで番組を視聴することができる。
【００２９】
さらに、本発明のデジタル放送受信装置の連携システムは、前記第２のデジタル放送受信装置は、チューナ部、ＴＳ分離部および記録部を備え、前記第１のデジタル放送受信装置から前記番組指定情報を受信する直前に、前記直接信号を受信しなかった場合、前記チューナ部、ＴＳ分離部および記録部等番組の記録に必要となる部分に電源供給を開始するとともに、前記番組指定情報に基づいて前記チューナ部およびＴＳ分離部等の設定を行うことによって、前記第１のデジタル放送受信装置と同一の番組を受信し、即座に記録可能とすることを特徴としている。
【００３０】
上記の構成により、第２のデジタル放送受信装置は、第１のデジタル放送受信装置から番組指定情報を受信する直前に、直接信号を受信しなかった場合、チューナ部、ＴＳ分離部および記録部等の番組の記録に必要となる部分に電源供給を開始し、番組指定情報に基づいてチューナ部およびＴＳ分離部等の設定を行い、第１のデジタル放送受信装置と同一の番組を即座に記録する。
【００３１】
以上により、第１のデジタル放送受信装置により番組の引継ぎを指示した使用者が、第２のデジタル放送受信装置の至近にいなかった場合、第１のデジタル放送受信装置で視聴していた番組を、即座に第２のデジタル放送受信装置で記録し始めるため、第２のデジタル放送受信装置付近に移動する間の番組を見逃すことがない。
【００３２】
さらに、本発明のデジタル放送受信装置の連携システムは、前記第１のデジタル放送受信装置は、位置測定部を備え、前記番組指定情報の他に当該第１のデジタル放送受信装置の位置情報を、前記第２のデジタル放送受信装置に送信し、前記第２のデジタル放送受信装置は、前記第１のデジタル放送受信装置の位置に応じて、適切な動作を行うことを特徴としている。
【００３３】
上記の構成により、第１のデジタル放送受信装置は、番組指定情報の他に位置情報を第２のデジタル放送受信装置に送信し、第２のデジタル放送受信装置は、第１のデジタル放送受信装置の位置に応じて適切な動作を行う。
【００３４】
ここで、位置測定部としては、例えばＧＰＳやカーナビゲーションシステムにおいて採用されている、より精密な位置測定方法等が考えられる。
【００３５】
以上により、上記の直接信号や直接信号送信装置や直接信号受信装置を用いず、第１のデジタル放送受信装置により番組の引継ぎを指示する使用者の位置に応じて、適切な番組の引継ぎ動作を自動的に実行することができる。さらに、上記の直接信号や直接信号送信装置や直接信号受信装置と合わせて用いることによって、第１のデジタル放送受信装置により番組の引継ぎを指示する使用者の位置に応じたさらに柔軟な番組の引継ぎ動作を自動的に実行することができる。
【００３６】
さらに、本発明のデジタル放送受信装置の連携システムは、前記第２のデジタル放送受信装置は、チューナ部、ＴＳ分離部、デコード部、スピーカーおよび表示部を備え、前記第１のデジタル放送受信装置から送信された前記位置情報を受信し、前記第１のデジタル放送受信装置がある範囲内にあると判断した場合、前記チューナ部、ＴＳ分離部、デコード部、スピーカーおよび表示部等番組の視聴に必要となる部分に電源供給を開始するとともに、前記番組指定情報に基づいて前記チューナ部およびＴＳ分離部等の設定を行うことによって、前記第１のデジタル放送受信装置と同一の番組を受信し、即座に視聴可能とすることを特徴としている。
【００３７】
上記の構成により、第２のデジタル放送受信装置は、第１のデジタル放送受信装置から送信された位置情報を受信し、第１のデジタル放送受信装置がある範囲内にあると判断した場合、第１のデジタル放送受信装置と同一の番組を即座に視聴できるようにする。
【００３８】
以上により、例えば、自家用車の車載ＴＶで番組を視聴しながら帰宅し、引き続き自宅の据置ＴＶで同じ番組を視聴したい場合、据置ＴＶに駐車場のだいたいの範囲を設定しておくことで、使用者が駐車場から据置ＴＶの前に辿り着くやいなや、即座に車載ＴＶと同じ番組が視聴できる。
【００３９】
さらに、本発明のデジタル放送受信装置の連携システムは、前記第２のデジタル放送受信装置は、チューナ部、ＴＳ分離部および記録部を備え、前記第１のデジタル放送受信装置から送信された前記位置情報を受信し、前記第１のデジタル放送受信装置がある範囲外にあると判断した場合、前記チューナ部、ＴＳ分離部および記録部等番組の記録に必要となる部分に電源供給を開始するとともに、前記番組指定情報に基づいて前記チューナ部およびＴＳ分離部等の設定を行うことによって、前記第１のデジタル放送受信装置と同一の番組を受信し、即座に記録可能とすることを特徴としている。
【００４０】
上記の構成により、第２のデジタル放送受信装置は、第１のデジタル放送受信装置から送信された位置情報を受信し、第１のデジタル放送受信装置がある範囲外にあると判断した場合、第１のデジタル放送受信装置と同一の番組を即座に記録する。
【００４１】
以上により、例えば、電車やバスなどで帰宅し、駅から自宅まで移動する間、モバイル端末の使用を一時中断する必要があり、番組を見ることができない場合でも、据置ＴＶに駅の位置が範囲外となるように設定しておくことで、モバイル端末で視聴していた番組を、即座に据置ＴＶで記録し始めるため、番組を見逃すことがない。
【００４２】
さらに、本発明のデジタル放送受信装置の連携システムは、前記第１のデジタル放送受信装置は、第１の短距離通信部および第１の長距離通信部を備え、前記第２のデジタル放送受信装置に対する前記番組指定情報の送出の際に、まず前記第１の短距離通信部において通信を試み、失敗した場合は、つぎに前記第１の長距離通信部において通信を行い、前記第２のデジタル放送受信装置は、第２の短距離通信部および第２の長距離通信部を備え、前記番組指定情報を受信したのが、前記第２の短距離通信部であるか前記第２の長距離通信部であるかによって、適切な動作を行うことを特徴としている。
【００４３】
上記の構成により、第１のデジタル放送受信装置は、番組指定情報の送出の際に、まず第１の短距離通信部において通信を試み、失敗した場合は、つぎに第１の長距離通信部において通信を行う。第２のデジタル放送受信装置は、番組指定情報を受信したのが、第２の短距離通信部であるか第２の長距離通信部であるかによって、適切な動作を行う。
【００４４】
ここで、第１および第２の短距離通信部としては、無線ＬＡＮやＢｌｕｅｔｏｏｔｈや独自方式の無線通信などの比較的狭い範囲のみ有効な通信手段であり、第１および第２の長距離通信部は第１および第２の短距離通信部より広い範囲で有効な通信手段である。
【００４５】
以上により、上記の直接信号や直接信号送信装置や直接信号受信装置を用いず、第１のデジタル放送受信装置により番組の引継ぎを指示する使用者の位置に応じて、適切な番組の引継ぎ動作を自動的に実行することができる。さらに、上記の直接信号や直接信号送信装置や直接信号受信装置と合わせて用いることによって、第１のデジタル放送受信装置により番組の引継ぎを指示する使用者の位置に応じたさらに柔軟な番組の引継ぎ動作を自動的に実行することができる。
【００４６】
さらに、本発明のデジタル放送受信装置の連携システムは、前記第２のデジタル放送受信装置が、第１のデジタル放送受信装置から前記番組指定情報を受信する直前に、前記直接信号を受信しなかった場合、もしくは前記第１のデジタル放送受信装置から送信された前記位置情報を受信し、前記第１のデジタル放送受信装置がある範囲外にあると判断した場合、もしくは前記第１のデジタル放送受信装置から送信された前記番組指定情報を前記第２の長距離通信部によって受信した場合において、記録部へ番組を記録し始めている状態で、当該第２のデジタル放送受信装置の電源を投入した場合、自動的に番組を記録し始めた部分から追いかけ再生を行うことを特徴としている。
【００４７】
上記の構成により、第２のデジタル放送受信装置は、引継ぎ操作によって記録部へ番組を記録し始めている状態で、電源を投入された場合、自動的に番組を記録し始めた部分から追いかけ再生を行う。
【００４８】
以上により、使用者は、第１のデジタル放送受信装置により番組の引継ぎを指示した番組の続きを、第２のデジタル放送受信装置において煩わしい操作を行うことなく、直ちに視聴し始めることができる。
【００４９】
また、本発明のデジタル放送受信装置は、前記デジタル放送受信装置の連携システムに含まれる前記第１のデジタル放送受信装置である。
【００５０】
上記の構成により、前記デジタル放送受信装置は、デジタル放送受信装置の連携システムにおいて前記第１のデジタル放送受信装置として機能する。したがって、前記第１のデジタル放送受信装置を含むデジタル放送受信装置の連携システムを実現できる。
【００５１】
また、本発明のデジタル放送受信装置は、前記デジタル放送受信装置の連携システムに含まれる前記第２のデジタル放送受信装置である。
【００５２】
上記の構成により、前記デジタル放送受信装置は、デジタル放送受信装置の連携システムにおいて前記第２のデジタル放送受信装置として機能する。したがって、前記第２のデジタル放送受信装置を含むデジタル放送受信装置の連携システムを実現できる。
【００５３】
また、本発明のデジタル放送受信装置の連携プログラムは、コンピュータに前記第１のデジタル放送受信装置としての機能を実現させるデジタル放送受信装置の連携プログラムである。
【００５４】
上記の構成により、コンピュータで前記第１のデジタル放送受信装置を実現することによって、前記第１のデジタル放送受信装置を含むデジタル放送受信装置の連携システムを実現できる。したがって、上記した第１のデジタル放送受信装置の効果を奏することができる。
【００５５】
また、本発明のデジタル放送受信装置の連携プログラムは、コンピュータに前記第２のデジタル放送受信装置としての機能を実現させるデジタル放送受信装置の連携プログラムである。
【００５６】
上記の構成により、コンピュータで前記第２のデジタル放送受信装置を実現することによって、前記第２のデジタル放送受信装置を含むデジタル放送受信装置の連携システムを実現できる。したがって、上記した第２のデジタル放送受信装置の効果を奏することができる。
【発明の効果】
【００５７】
本発明によれば、使用者の第１のデジタル放送受信装置への指示により、第１のデジタル放送受信装置で受信中の番組を、簡単かつ素早く、第２のデジタル放送受信装置に引継ぐことが可能となる効果がある。
【００５８】
また、番組を引継ぐ際、第１のデジタル放送受信装置により番組の引継ぎを指示する使用者の位置に応じて、適切に番組を記録することによって、番組を見逃すことなく引継ぐことが可能となる効果がある。
【発明を実施するための最良の形態】
【００５９】
以下に、本発明の実施の形態について図面を参照しながら詳細に説明する。
【００６０】
図１は本発明によるデジタル放送受信装置の連携システムの実施の形態１である。図１において、１はデジタル放送を受信可能なモバイル端末であり、本発明では第１のデジタル放送受信装置に該当する。また、２はデジタル放送を受信可能な据置ＴＶであり、本発明では第２のデジタル放送受信装置に該当する。
【００６１】
図２は第１のデジタル放送受信装置の構成を示すものである。第１のデジタル放送受信装置は、デジタル放送を受信し、ＭＰＥＧデータを処理するために、チューナ部２０１、ＴＳ分離部２０２、デコード部２０３を備えている。また、デジタル放送の映像や音声を出力するためのスピーカー２０４や表示部２０５、使用者からの操作を受け付ける入力部２０６を備えている。さらに、番組の引継ぎの際に、直接信号を送信するための直接信号送信部２０７、番組指定情報をやり取りするための通信部２０８を備えている。そして、各部は制御部２０９によって制御される。
【００６２】
図３は第２のデジタル放送受信装置の構成を示すものである。第２のデジタル放送受信装置もまた、デジタル放送を受信し、ＭＰＥＧデータを処理するために、チューナ部３０１、ＴＳ分離部３０２、デコード部３０３を備えている。また、デジタル放送の映像や音声を出力するためのスピーカー３０４や表示部３０５、使用者からの操作を受け付ける入力部３０６も同様に備えている。一方、第２のデジタル放送受信装置は番組を引継ぐ方の装置なので、直接信号を受信するための直接信号受信部３０７、番組指定情報をやり取りするための通信部３０８、記録部３０９を備えている。そして、各部は制御部３１０によって制御される。
【００６３】
ここで、直接信号送信部２０７と直接信号受信部３０７は同一の信号を扱い、直接信号送信部２０７から送信された直接信号を直接信号受信部３０７で受信することによって（何らかの）信号を伝えるものである。直接信号としては、リモコンなどで使用されている赤外線のような信号が利用しやすいが、第１のデジタル放送受信装置と第２のデジタル放送受信装置を直接接続したり、またはケーブル等で接続して、単に電気信号でやり取りしてもよい。つまり、直接信号は、有線、無線に関わらず、第１のデジタル放送受信装置から第２のデジタル放送受信装置が目視できるぐらい至近距離でのみ有効な信号であれば何でも利用可能である。
【００６４】
また、通信部２０８と通信部３０８は、電話回線や無線ＬＡＮ等を使用した通信を利用することが考えられる。ここで、通信部２０８と通信部３０８は必ずしも同じ通信媒体やプロトコルを利用する必要はなく、通信経路において、通信媒体やプロトコルを変換するような装置もしくは手段さえ存在すれば、異なる通信媒体やプロトコルによって情報をやり取りすることが可能である。つまり、通信部２０８と通信部３０８は、第２のデジタル放送受信装置が、第１のデジタル放送受信装置から目視できるぐらい至近距離に存在しない場合でも、情報のやり取りが可能な通信手段であれば何でも利用可能である。
【００６５】
また、記録部３０９は、ＨＤＤやＤＶＤ等の記録媒体が考えられる。また、記録部３０９は、第２のデジタル放送受信装置に内蔵されていても、第２のデジタル放送受信装置と連動して動作する外部の記録装置であってもよい。
【００６６】
さらに、本実施の形態では、第１のデジタル放送受信装置は番組の引継ぎ元、第２のデジタル放送受信装置は番組の引継ぎ先として例を示しているが、一つのデジタル放送受信装置が引継ぎ元と引継ぎ先のどちらにもなり得る機能を持ち合わせていても問題ない。その場合、１つのデジタル放送受信装置で直接信号送信部と直接信号受信部の両方を備えていることもある。
【００６７】
つぎに、本発明によるデジタル放送受信装置の連携システムにおいて、第１のデジタル放送受信装置から第２のデジタル放送受信装置へ番組を引継ぐ手順および連携システムの動作を説明する。
【００６８】
図４は、第１のデジタル放送受信装置の動作を示したフローチャートである。また、図５は、第２のデジタル放送受信装置の動作を示したフローチャートである。
【００６９】
はじめに、使用者が、第１のデジタル放送受信装置において、番組を視聴中に番組の引継ぎの指示を行う。引継ぎの指示は、入力部２０６によって行う。この指示を発端として（ステップＳ４０１）、第１のデジタル放送受信装置は、現在視聴中の番組を特定する情報を番組指定情報として構成する（ステップＳ４０２）。ここで、番組を特定する情報としては、単に番組のチャンネル番号といった簡単なものでも良いし、番組のデジタルデータを含むＭＰＥＧ２トランスポートストリームの周波数および映像や音声等のＰＩＤと言ったデジタル放送特有の情報であっても良い。ここで、後者の様なより詳細な情報を利用することによって、ステップＳ５０４やステップＳ５０５において、より早く番組を引継ぐことができるというメリットがある。これについての詳細は後述する。
【００７０】
つぎに、第１のデジタル放送受信装置は、直接信号送信部２０７より直接信号を送信する（ステップＳ４０３）。このとき、直接信号は必ずしも第２のデジタル放送受信装置に受信されるとは限らない。
【００７１】
その後、通信部２０８より第２のデジタル放送受信装置の通信部３０８に対して、番組指定情報を送信する（ステップＳ４０４）。ここで、番組指定情報は、通信部２０８と通信部３０８のコネクションが確立された状態で送信される。よって、第２のデジタル放送受信装置は、確実に番組指定情報を受信できる。もし万が一、コネクションが確立できない等の理由により、通信部２０８と通信部３０８が通信不能の状態であった場合、表示部２０５等を利用して、番組の引継ぎができないことを使用者に知らせることが望ましい。
【００７２】
また、番組の引継ぎを行った場合、第１のデジタル放送受信装置では視聴を継続しない場合が多い。このような場合、ステップＳ４０４の後に、各部への電源供給をＯＦＦにする処理を行うことによって、より便利になることも考えられる。
【００７３】
一方、第２のデジタル放送受信装置では、ステップＳ４０４において第１のデジタル放送受信装置より送信された番組指定情報を受信することによって番組の引継ぎ処理を開始する（ステップＳ５０２およびステップＳ５０６）のであるが、番組指定情報を受信する直前に、ステップＳ４０３において第１のデジタル放送受信装置より送信された直接信号を受信したか否かによって動作が異なる（ステップＳ５０１）。
【００７４】
番組指定情報を受信する直前に直接信号を受信した場合、第１のデジタル放送受信装置によって番組の引継ぎを指示した使用者は、第２のデジタル放送受信装置の至近にいるので、できるだけ早く番組を引継ぎ、視聴できる状態になることが望まれる。従って、第２のデジタル放送受信装置は、チューナ部３０１、ＴＳ分離部３０２、デコード部３０３、スピーカー３０４および表示部３０５等の番組の視聴に必要となる部分に電源供給を開始し（ステップＳ５０３）、第１のデジタル放送受信装置より送信された番組指定情報に基づいてチューナ部３０１、ＴＳ分離部３０２およびデコード部３０３等のパラメータ設定を行い（ステップＳ５０４）、直ちにスピーカー３０４および表示部３０５に番組を表示する（ステップＳ５０５）。
【００７５】
一方、番組指定情報を受信する直前に直接信号を受信しなかった場合、第１のデジタル放送受信装置によって番組の引継ぎを指示した使用者は、第２のデジタル放送受信装置の至近にはいないと判断できるので、できるだけ早く番組を引継ぎ、番組の記録を開始することが望まれる。従って、第２のデジタル放送受信装置は、チューナ部３０１、ＴＳ分離部３０２および記録部３０９等番組の記録に必要となる部分に電源供給を開始し（ステップＳ５０７）、第１のデジタル放送受信装置より送信された番組指定情報に基づいてチューナ部３０１およびＴＳ分離部３０２等のパラメータ設定を行い（ステップＳ５０８）、直ちに記録部３０９における番組の記録を開始する（ステップＳ５０９）。
【００７６】
ここで、直接信号でも番組指定情報を送信しておけば、直接信号を受信できる状態の場合、通信部３０８によって番組指定情報を受信する（ステップＳ５０２）必要が無くなり、より早く番組を引継ぐことができるとともに、通信費等の節約が可能となる。
【００７７】
さてここで、番組指定情報として、単に番組のチャンネル番号を用いる方法と、番組のデジタルデータを含むＭＰＥＧ２トランスポートストリームの周波数および映像や音声等のＰＩＤと言ったデジタル放送特有の情報を用いる方法の違いについて簡単に説明しておく。通常、デジタル放送では、一つの周波数（トランスポンダ）によって、１つもしくは複数のＭＰＥＧ２トランスポートストリームが伝送され、さらに１つのＭＰＥＧ２トランスポートストリームには１つもしくは複数の番組についての映像、音声、データ放送のデータや、その他様々な制御情報のデータが含まれている。そして、例えば、この中の１つの番組を視聴する場合、まず、目的の番組が含まれているＭＰＥＧ２トランスポートストリームを受信するために、チューナ部３０１に周波数を設定する。ここで、ある番組とその番組が放送されている周波数の対応関係は、第２のデジタル放送受信装置内部で固定的に管理されている場合もあるし、ＭＰＥＧ２トランスポートストリームに含まれる制御情報から動的に取得する場合もある。つぎに、ＴＳ分離部３０２において受信したＭＰＥＧ２トランスポートストリームを各種データに分離し、そのうちの制御情報を解析することによって、目的の番組を構成する映像や音声等のデータを特定する。このとき、それぞれのデータを識別するものがＰＩＤと呼ばれるものである。そして、映像や音声等のＰＩＤに該当するデータをＴＳ分離部３０２において抽出し、デコード部３０３においてデコード処理を行うことによって、目的の番組が視聴可能となる。（これらの処理は全てステップＳ５０４もしくはステップＳ５０８に含まれる。）
ここで、目的の番組を構成する映像や音声等のＰＩＤについての情報を含んだ制御情報は、ある一定間隔でＭＰＥＧ２トランスポートストリームに送信されてくる。このため、目的の番組を構成する映像や音声等のＰＩＤを特定し、デコードを開始するには少々時間がかかる。
【００７８】
番組指定情報として単に番組のチャンネル番号のみ用いる場合、まさに上記の手順を全て行う必要があるが、番組指定情報として番組のデータを含むＭＰＥＧ２トランスポートストリームの周波数および映像や音声等のＰＩＤを用いれば、制御情報から目的の番組を構成する映像や音声等のＰＩＤを特定する前に、目的の番組の映像や音声等に該当するデータを抽出し、デコード処理を開始できる。このため、より早く番組を引継ぐことができる。
【００７９】
つづいて、上記のデジタル放送受信装置の連携システムの応用として、さらに柔軟に、第１のデジタル放送受信装置により番組の引継ぎを指示する使用者の位置に応じた番組の引継ぎを可能とする実施の形態２を示す。
【００８０】
図６は本実施の形態における第１のデジタル放送受信装置の構成を示すものである。基本的に、図２のデジタル放送受信装置の構成に加えて、位置測定部６１０を備えた構成である。図６のチューナ部６０１から制御部６０９までの構成は、図２のチューナ部２０１から制御部２０９までと同じである。
【００８１】
また、本実施の形態における第２のデジタル放送受信装置は、図３に示したものと同じ構成である。
【００８２】
さらに、本実施の形態では、第１のデジタル放送受信装置は番組の引継ぎ元、第２のデジタル放送受信装置は番組の引継ぎ先として例を示しているが、一つのデジタル放送受信装置が引継ぎ元と引継ぎ先のどちらにもなり得る機能を持ち合わせていても問題ない。
【００８３】
つぎに、本実施の形態におけるデジタル放送受信装置の連携システムにおいて、第１のデジタル放送受信装置から第２のデジタル放送受信装置へ番組を引継ぐ手順および連携システムの動作を説明する。
【００８４】
図７は、第１のデジタル放送受信装置の動作を示したフローチャートである。基本的に、図４のフローにステップＳ７０３およびステップＳ７０６のステップが加わったものである。図７のステップＳ７０１、Ｓ７０２、Ｓ７０４、Ｓ７０５は図４のステップＳ４０１〜Ｓ４０４と同じである。
【００８５】
また、図８は、第２のデジタル放送受信装置の動作を示したフローチャートである。基本的に、図５のフローにステップＳ８０７のステップが加わったものである。図８のステップＳ８０１〜Ｓ８０６、Ｓ８０８〜Ｓ８１０は、図５のステップＳ５０１〜Ｓ５０９と同じである。
【００８６】
本実施の形態における第１のデジタル放送受信装置は、ステップＳ７０３において、位置測定部６１０によって自装置の位置を測定し、位置情報を構成する。ここで、位置測定部６１０としては、例えばＧＰＳやカーナビゲーションシステムにおいて採用されているより精密な位置測定方法等が考えられる。また、位置情報としては、緯度経度情報等が考えられる。
【００８７】
そして、ステップＳ７０６において、通信部６０８より第２のデジタル放送受信装置の通信部３０８に対して、この位置情報を送信する。
【００８８】
ここで、ステップＳ７０３はステップＳ７０４やステップＳ７０５の後であっても問題ない。
【００８９】
一方、第２のデジタル放送受信装置は、図５に示されたフローと同様に、ステップＳ７０５において第１のデジタル放送受信装置より送信された番組指定情報を受信することによって番組の引継ぎ処理を開始する（ステップＳ８０２およびステップＳ８０６）のであるが、番組指定情報を受信する直前に、ステップＳ７０４において第１のデジタル放送受信装置より送信された直接信号を受信していない場合でも（ステップＳ８０１）、通信部３０８で受信した位置情報の示す位置がある範囲内を示していれば（ステップＳ８０７）、できるだけ早く番組を引継ぎ、視聴できる状態となる（ステップＳ８０３、ステップＳ８０４、ステップＳ８０５）。
【００９０】
ここで、ステップＳ８０７において判定される範囲の設定は、あらかじめ使用者によって入力部３０６等を用いて設定されていることが望ましい。また、範囲の設定方法としては、第１のデジタル放送受信装置の位置を指定することにより設定するものであってもよいし、第２のデジタル放送受信装置の位置と第２のデジタル放送受信装置からの第１のデジタル放送受信装置の相対位置を指定することにより設定するものであってもよい。このとき、第２のデジタル放送受信装置にも位置測定部が備わっている場合には、第２のデジタル放送受信装置の位置を自動的に設定することも可能である。
【００９１】
また、つぎのような実施の形態３も考えられる。
【００９２】
図９は本実施の形態における第１のデジタル放送受信装置の構成を示すものである。基本的に、図２のデジタル放送受信装置の構成の通信部２０８を、短距離通信部９０９と長距離通信部９１０とに分けた構成になっている。図９のチューナ部９０１から制御部９０８までの構成は、図２のチューナ部２０１から直接信号送信部２０７までおよび制御部２０９と同じである。
【００９３】
図１０は本実施の形態における第２のデジタル放送受信装置の構成を示すものである。基本的に、図３のデジタル放送受信装置の構成の通信部３０８を、短距離通信部１０１０と長距離通信部１０１１とに分けた構成になっている。図１０のチューナ部１００１から制御部１００９までの構成は、図３のチューナ部３０１から直接信号受信部３０７までと記録部３０９および制御部３１０と同じである。
【００９４】
さらに、本実施の形態では、第１のデジタル放送受信装置は番組の引継ぎ元、第２のデジタル放送受信装置は番組の引継ぎ先として例を示しているが、一つのデジタル放送受信装置が引継ぎ元と引継ぎ先のどちらにもなり得る機能を持ち合わせていても問題ない。
【００９５】
つぎに、本実施の形態におけるデジタル放送受信装置の連携システムにおいて、第１のデジタル放送受信装置から第２のデジタル放送受信装置へ番組を引継ぐ手順および連携システムの動作を説明する。
【００９６】
図１１は、第１のデジタル放送受信装置の動作を示したフローチャートである。基本的に、通信部２０８を短距離通信部９０９と長距離通信部９１０とに分けたことによって、図４のフローのステップＳ４０４が、ステップＳ１１０４、ステップＳ１１０５およびステップＳ１１０６のステップに分かれたものである。図１１のステップＳ１１０１〜Ｓ１１０３は、図４のステップＳ４０１〜Ｓ４０３と同じである。
【００９７】
また、図１２は、第２のデジタル放送受信装置の動作を示したフローチャートである。基本的に、通信部３０８を短距離通信部１０１０と長距離通信部１０１１とに分けたことによって、図５のフローのステップＳ５０２およびステップＳ５０６が、ステップＳ１２０２、ステップＳ１２０６およびステップＳ１２０７のステップに分かれたものである。図１２のステップＳ１２０１、Ｓ１２０３〜Ｓ１２０５、Ｓ１２０８〜Ｓ１２１０は、図５のステップＳ５０１、Ｓ５０３〜Ｓ５０５、Ｓ５０７〜Ｓ５０９と同じである。
【００９８】
本実施の形態における第１のデジタル放送受信装置は、番組指定情報を第２のデジタル放送受信装置に対して送信する際に、まず短距離通信部９０９を用いて番組指定情報を送信することを試みる（ステップＳ１１０４）。もし、短距離通信部９０９による送信に失敗した場合（ステップＳ１１０５）、つぎに長距離通信部９１０を用いて番組指定情報の送信を行う（ステップＳ１１０６）。
【００９９】
一方、第２のデジタル放送受信装置は、図５に示されたフローと同様に、第１のデジタル放送受信装置より送信された番組指定情報を受信することによって番組の引継ぎ処理を開始する（ステップＳ１２０２、ステップＳ１２０６およびステップＳ１２０７）のであるが、番組指定情報を受信する直前に、ステップＳ１１０３において第１のデジタル放送受信装置より送信された直接信号を受信していない場合でも（ステップＳ１２０１）、番組指定情報を短距離通信部１０１０で受信した場合は（ステップＳ１２０６）、できるだけ早く番組を引継ぎ、視聴できる状態となる（ステップＳ１２０３、ステップＳ１２０４、ステップＳ１２０５）。
【０１００】
最後に、第２のデジタル放送受信装置において、引継ぎ操作によって記録部へ番組を記録し始めている状態で、電源を投入された場合、自動的に番組を記録し始めた部分から追いかけ再生を行うための実施の形態４を示す。
【０１０１】
第２のデジタル放送受信装置としては、図３および図１０のいずれの構成であっても問題ない。そこで、本実施の形態の説明には図３の構成を用いる。
【０１０２】
図１３は、第２のデジタル放送受信装置の動作を示したフローチャートである。
【０１０３】
まず、使用者が入力部３０６等を用いて第２のデジタル放送受信装置の電源を投入すると（ステップＳ１３０１）、第２のデジタル放送受信装置は、番組の引継ぎによる番組記録中かどうかを判定する（ステップＳ１３０２）。
【０１０４】
もし、番組の引継ぎによる番組記録中でない場合は、通常のデジタル放送受信処理として、各部の電源供給を開始し（ステップＳ１３０７）、前回電源ＯＦＦ時に視聴していたチャンネルの表示を行う（ステップＳ１３０６、ステップＳ１３０８）。
【０１０５】
一方、番組の引継ぎによる番組記録中であった場合、デコード部３０３、スピーカー３０４および表示部３０５等にも電源供給を開始し（ステップＳ１３０３）、記録部３０９からの番組再生に必要な設定を行った後（ステップＳ１３０４）、記録部３０９から記録中の番組を読み出し（ステップＳ１３０５）、スピーカー３０４および表示部３０５に出力する（１３０６）。
【０１０６】
このとき、記録中の番組がまだ終了していない場合、第２のデジタル放送受信装置は、番組の記録された部分を再生すると同時に、番組の記録も継続することが望ましい。
【産業上の利用可能性】
【０１０７】
本発明にかかるデジタル放送受信装置の連携システムは、視聴中の番組を簡単にかつ素早く引継ぐことができるという効果を有し、モバイル機器と据置ＴＶとの連携システム等として有用である。
【図面の簡単な説明】
【０１０８】
【図１】本発明の実施の形態１によるデジタル放送受信装置の連携システムの構成例を示す模式図である。
【図２】本発明の実施の形態１によるデジタル放送受信装置の連携システムにおける第１のデジタル放送受信装置の構成例を示すブロック図である。
【図３】本発明の実施の形態１によるデジタル放送受信装置の連携システムにおける第２のデジタル放送受信装置の構成例を示すブロック図である。
【図４】本発明の実施の形態１によるデジタル放送受信装置の連携システムにおいて、番組の引継ぎ元である第１のデジタル放送受信装置の動作を示すフローチャートである。
【図５】本発明の実施の形態１によるデジタル放送受信装置の連携システムにおいて、番組の引継ぎ先である第２のデジタル放送受信装置の動作を示すフローチャートである。
【図６】本発明の実施の形態２によるデジタル放送受信装置の連携システムにおける第１のデジタル放送受信装置の構成例を示すブロック図である。
【図７】本発明の実施の形態２によるデジタル放送受信装置の連携システムにおいて、番組の引継ぎ元である第１のデジタル放送受信装置の動作を示すフローチャートである。
【図８】本発明の実施の形態２によるデジタル放送受信装置の連携システムにおいて、番組の引継ぎ先である第２のデジタル放送受信装置の動作を示すフローチャートである。
【図９】本発明の実施の形態３によるデジタル放送受信装置の連携システムにおける第１のデジタル放送受信装置の構成例を示すブロック図である。
【図１０】本発明の実施の形態３によるデジタル放送受信装置の連携システムにおける第２のデジタル放送受信装置の構成例を示すブロック図である。
【図１１】本発明の実施の形態３によるデジタル放送受信装置の連携システムにおいて、番組の引継ぎ元である第１のデジタル放送受信装置の動作を示すフローチャートである。
【図１２】本発明の実施の形態３によるデジタル放送受信装置の連携システムにおいて、番組の引継ぎ先である第２のデジタル放送受信装置の動作を示すフローチャートである。
【図１３】本発明の実施の形態４によるデジタル放送受信装置の連携システムにおいて、番組引継ぎの際に記録した番組を再生する第２のデジタル放送受信装置の動作を示すフローチャートである。
【符号の説明】
【０１０９】
１  モバイル端末（第１のデジタル放送受信装置）
２  据置ＴＶ（第２のデジタル放送受信装置）
２０１、３０１、６０１、９０１、１００１  チューナ部
２０２、３０２、６０２、９０２、１００２  ＴＳ分離部
２０３、３０３、６０３、９０３、１００３  デコード部
２０４、３０４、６０４、９０４、１００４  スピーカー
２０５、３０５、６０５、９０５、１００５  表示部
２０６、３０６、６０６、９０６、１００６  入力部
２０７、６０７、９０７  直接信号送信部
３０７、１００７  直接信号受信部
２０８、３０８、６０８  通信部
２０９、３１０、６０９、９０８、１００９  制御部
３０９、１００８  記録部
６１０  位置測定部
９０９、１０１０  短距離通信部
９１０、１０１１  長距離通信部
【図１】
2006041821.tif 000003
【図２】
2006041821.tif 000004
【図３】
2006041821.tif 000005
【図４】
2006041821.tif 000006
【図５】
2006041821.tif 000007
【図６】
2006041821.tif 000008
【図７】
2006041821.tif 000009
【図８】
2006041821.tif 000010
【図９】
2006041821.tif 000011
【図１０】
2006041821.tif 000012
【図１１】
2006041821.tif 000013
【図１２】
2006041821.tif 000014
【図１３】
2006041821.tif 000015